(57)【特許請求の範囲】
【請求項１】
キャリアとトナーとを有する現像剤を収容するとともに、像担持体上に形成される潜像を現像する現像装置であって、
前記像担持体に対向するとともに、現像剤を担持する現像剤担持体と、
装置内に収容された現像剤を長手方向に搬送して循環経路を形成する複数の搬送部材と、
装置内に新たにキャリアを供給する供給手段と、
前記複数の搬送部材のうち１つの搬送部材によって搬送される現像剤の剤面が所定高さを超えたときにその現像剤を当該１つの搬送部材による搬送経路の外部に排出するために当該１つの搬送部材による搬送経路の隔壁に形成された排出口と、
前記現像剤担持体を駆動する第１駆動部と、
前記第１駆動手段とは別に設けられるとともに、前記複数の搬送部材を駆動する第２駆動部と、
を備え、
前記第１駆動部は、前記像担持体の駆動開始・駆動停止に同期して前記現像剤担持体の駆動開始・駆動停止をおこない、
前記第２駆動部は、前記像担持体の回転数が高く設定された場合に前記現像剤担持体の駆動時間に比べて前記複数の搬送部材の駆動時間を短くして、前記像担持体の回転数が低く設定された場合に前記現像剤担持体の駆動時間に比べて前記複数の搬送部材の駆動時間を長くすることを特徴とする現像装置。
【請求項２】
前記第２駆動部による前記複数の搬送部材の駆動時間の調整は、非現像工程時におこなわれることを特徴とする請求項１に記載の現像装置。
【請求項３】
前記複数の搬送部材は、
前記現像剤担持体に対向するとともに現像剤を長手方向に搬送しながら当該現像剤担持体に現像剤を供給する第１搬送部材と、
前記第１搬送部材に対して壁部を介して対向する位置であって前記現像剤担持体に対向する位置に配設されるとともに当該現像剤担持体から離脱された現像剤を長手方向に搬送する第２搬送部材と、
前記第２搬送部材によって搬送された現像剤を前記第１搬送部材による搬送経路の上流側に搬送するとともに、前記第１搬送部材による搬送経路の下流側に達した現像剤を当該第１搬送部材による搬送経路の上流側に搬送する第３搬送部材と、
を具備し、
前記１つの搬送部材は、前記第１搬送部材であることを特徴とする請求項１又は請求項２に記載の現像装置。
【請求項４】
前記供給手段は、装置内に新たにトナーを前記キャリアとともに供給することを特徴とする請求項１〜請求項３のいずれかに記載の現像装置。
【請求項５】
画像形成装置の装置本体に対して着脱自在に設置されるプロセスカートリッジであって、
請求項１〜請求項４のいずれかに記載の現像装置と前記像担持体とが一体化されたことを特徴とするプロセスカートリッジ。
【請求項６】
請求項１〜請求項４のいずれかに記載の現像装置と前記像担持体とを備えたことを特徴とする画像形成装置。
【発明の詳細な説明】
【技術分野】
【０００１】
この発明は、複写機、プリンタ、ファクシミリ、又は、それらの複合機等の電子写真方式を用いた画像形成装置とそこに設置される現像装置及びプロセスカートリッジとに関し、特に、現像装置内に新品のキャリアや現像剤を適宜に供給するプレミックス現像方式の現像装置、プロセスカートリッジ、及び、画像形成装置に関するものである。
【背景技術】
【０００２】
従来から、複写機、プリンタ等の画像形成装置において、トナーとキャリアとからなる２成分現像剤（添加剤等を添加する場合も含むものとする。）を収容した現像装置に、適宜に新しいキャリアを補給する技術（これをプレミックス現像方式という。）が知られている（例えば、特許文献１参照。）。
【０００３】
２成分現像剤を用いた現像装置は、現像装置内におけるトナー消費に応じて、現像装置の一部に設けられたトナー補給口から現像装置内に適宜にトナーが補給される。補給されたトナーは、現像装置内の現像剤とともに、搬送スクリュ（搬送部材）によって撹拌・混合される。撹拌・混合された現像剤は、その一部が現像ローラ（現像剤担持体）に供給される。現像ローラに担持された現像剤は、ドクターブレード（現像剤規制部材）によって適量に規制された後に、その２成分現像剤中のトナーが感光体ドラム（像担持体）との対向位置で感光体ドラム上の潜像に付着する。なお、現像ローラや搬送部材の回転駆動は、感光体ドラムの回転駆動とともに、１つの駆動源によっておこなわれる。
【０００４】
このように、通常の現像工程において現像装置内に収容された２成分現像剤中のキャリアは消費されることなく現像装置内に残るために、キャリアに経時劣化が生じてしまう。詳しくは、キャリアが現像装置内で長時間かけて撹拌・混合されることでキャリアのコーティング層が磨耗又は剥離してキャリアの帯電能力が低下する「膜削れ現象」や、キャリアの表面にトナーの成分や添加剤が付着してキャリアの帯電能力が低下する「スペント現象」が生じてしまう。
【０００５】
プレミックス現像方式は、このようなキャリアの経時劣化による出力画像の画質低下を防止するためのものである。すなわち、現像装置内に新しいキャリア（又は新しい２成分現像剤）を適宜に補給するとともに、現像装置内に収容された２成分現像剤の一部を適宜に現像装置外に排出することで、現像装置内の劣化キャリアを減じて現像装置内に収容されたキャリアの量と帯電能力とを維持するものである。
このようなプレミックス現像方式を用いた画像形成装置は、キャリアの経時劣化が生じるごとに現像装置やキャリアを新品のものに交換する必要のある装置に比べて、経時においても出力画像の画質が安定化することになる。
【０００６】
特許文献１等には、プレミックス現像方式を用いた現像装置であって、現像装置から外部への現像剤の排出手段としてオーバーフロー方式を用いたものが開示されている。詳しくは、現像装置に排出口（排出手段）を設けて、その位置に搬送される現像剤の剤面が所定高さを超えたときにその現像剤（キャリアの補給によって余剰分となった現像剤である。）が排出口から排出される。
【０００７】
他方、従来から、複写機やプリンタ等の画像形成装置において、記録媒体として厚紙やＯＨＰ用紙を通紙する場合に、充分な定着性を得るために、通常時よりも記録媒体の搬送速度（プロセス線速）を低下させて画像形成プロセスをおこなう低速モード（特殊紙モード）に切り替える技術が知られている（例えば、特許文献２参照。）。
【発明の概要】
【発明が解決しようとする課題】
【０００８】
上述した特許文献１等のプレミックス現像方式の現像装置は、感光体ドラムの回転駆動に同期して現像ローラや搬送スクリュの回転駆動がおこなわれるため、特許文献２等のようにプロセス線速が可変された場合に、搬送スクリュの回転数も可変してしまい、排出口から現像装置外に排出される現像剤量にバラツキが生じるという不具合があった。そのため、現像装置内で循環する現像剤量にもバラツキが生じて、画像濃度低下や画像濃度ムラ等の異常画像が生じてしまっていた。
【０００９】
この発明は、上述のような課題を解決するためになされたもので、プロセス線速が可変された場合であっても、排出口から現像装置外に排出される現像剤量にバラツキが生じることのない、プレミックス現像方式の現像装置、プロセスカートリッジ、及び、画像形成装置を提供することにある。
【課題を解決するための手段】
【００１０】
この発明の請求項１記載の発明にかかる現像装置は、キャリアとトナーとを有する現像剤を収容するとともに、像担持体上に形成される潜像を現像する現像装置であって、前記像担持体に対向するとともに、現像剤を担持する現像剤担持体と、装置内に収容された現像剤を長手方向に搬送して循環経路を形成する複数の搬送部材と、装置内に新たにキャリアを供給する供給手段と、前記複数の搬送部材のうち１つの搬送部材によって搬送される現像剤の剤面が所定高さを超えたときにその現像剤を当該１つの搬送部材による搬送経路の外部に排出するために当該１つの搬送部材による搬送経路の隔壁に形成された排出口と、前記現像剤担持体を駆動する第１駆動部と、前記第１駆動手段とは別に設けられるとともに、前記複数の搬送部材を駆動する第２駆動部と、を備え、前記第１駆動部は、前記像担持体の駆動開始・駆動停止に同期して前記現像剤担持体の駆動開始・駆動停止をおこない、前記第２駆動部は、前記像担持体の回転数が高く設定された場合に前記現像剤担持体の駆動時間に比べて前記複数の搬送部材の駆動時間を短くして、前記像担持体の回転数が低く設定された場合に前記現像剤担持体の駆動時間に比べて前記複数の搬送部材の駆動時間を長くするものでした。
【００１１】
また、請求項２記載の発明にかかる現像装置は、前記請求項１に記載の発明において、前記第２駆動部による前記複数の搬送部材の駆動時間の調整は、非現像工程時におこなわれるものである。
【００１２】
また、請求項３記載の発明にかかる現像装置は、前記請求項１又は請求項２に記載の発明において、前記複数の搬送部材は、前記現像剤担持体に対向するとともに現像剤を長手方向に搬送しながら当該現像剤担持体に現像剤を供給する第１搬送部材と、前記第１搬送部材に対して壁部を介して対向する位置であって前記現像剤担持体に対向する位置に配設されるとともに当該現像剤担持体から離脱された現像剤を長手方向に搬送する第２搬送部材と、前記第２搬送部材によって搬送された現像剤を前記第１搬送部材による搬送経路の上流側に搬送するとともに、前記第１搬送部材による搬送経路の下流側に達した現像剤を当該第１搬送部材による搬送経路の上流側に搬送する第３搬送部材と、を具備し、前記１つの搬送部材を、前記第１搬送部材としたものである。
【００１３】
また、請求項４記載の発明にかかる現像装置は、前記請求項１〜請求項３のいずれかに記載の発明において、前記供給手段は、装置内に新たにトナーを前記キャリアとともに供給するものである。
【００１４】
また、請求項５記載の発明にかかるプロセスカートリッジは、画像形成装置の装置本体に対して着脱自在に設置されるプロセスカートリッジであって、請求項１〜請求項４のいずれかに記載の現像装置と前記像担持体とが一体化されたものである。
【００１５】
また、請求項６記載の発明にかかる画像形成装置は、請求項１〜請求項４のいずれかに記載の現像装置と前記像担持体とを備えたものである。
【００１８】
なお、本願において、「プロセスカートリッジ」とは、像担持体を帯電する帯電部と、像担持体上に形成された潜像を現像する現像部（現像装置）と、像担持体上をクリーニングするクリーニング部とのうち、少なくとも１つと、像担持体とが、一体化されて、画像形成装置本体に対して着脱自在に設置されるユニットと定義する。
【発明の効果】
【００１９】
本発明は、現像剤担持体を駆動する第１駆動部とは別に、複数の搬送部材を駆動する第２駆動部を設けているため、プロセス線速が可変された場合であっても、排出口から現像装置外に排出される現像剤量にバラツキが生じることのない、プレミックス現像方式の現像装置、プロセスカートリッジ、及び、画像形成装置を提供することができる。
【図面の簡単な説明】
【００２０】
【図１】この発明の実施の形態における画像形成装置を示す全体構成図である。
【図２】作像部を示す構成図である。
【図３】現像装置を示す斜視図である。
【図４】（Ａ）現像装置の上部を長手方向にみた概略断面図と、（Ｂ）現像装置の下部を長手方向にみた概略断面図と、である。
【図５】現像装置の第３中継部の近傍を示す断面図である。
【図６】現像装置の排出口の近傍を示す断面図である。
【図７】現像装置の補給口の近傍を示す断面図である。
【図８】排出用搬送経路の開口の近傍を示す断面図である。
【図９】プロセス線速が可変されたときの、現像ローラと搬送スクリュとの駆動制御を示す図である。
【図１０】現像装置に収容された現像剤の、トナー濃度と嵩密度との関係を示すグラフである。
【図１１】搬送スクリュの回転数と、現像装置に収容された現像剤の容量と、の関係を示すグラフである。
【図１２】プロセス線速が可変されたときの、現像ローラと搬送スクリュとの別の駆動制御を示す図である。
【発明を実施するための形態】
【００２１】
実施の形態．
以下、この発明を実施するための形態について、図面を参照して詳細に説明する。なお、各図中、同一又は相当する部分には同一の符号を付しており、その重複説明は適宜に簡略化ないし省略する。
【００２２】
まず、図１にて、画像形成装置全体の構成・動作について説明する。
図１において、１は画像形成装置としてのタンデム型カラー複写機の装置本体、２は入力画像情報に基づいたレーザ光を発する書込み部、３は原稿Ｄを原稿読込部４に搬送する原稿搬送部、４は原稿Ｄの画像情報を読み込む原稿読込部、７は転写紙等の記録媒体Ｐが収容される給紙部、９は記録媒体Ｐの搬送タイミングを調整するレジストローラ、１１Ｙ、１１Ｍ、１１Ｃ、１１ＢＫは各色（イエロー、マゼンタ、シアン、ブラック）のトナー像が形成される感光体ドラム、１２は各感光体ドラム１１Ｙ、１１Ｍ、１１Ｃ、１１ＢＫ上を帯電する帯電部、１３は各感光体ドラム１１Ｙ、１１Ｍ、１１Ｃ、１１ＢＫ上に形成される静電潜像を現像する現像装置、１４は各感光体ドラム１１Ｙ、１１Ｍ、１１Ｃ、１１ＢＫ上に形成されたトナー像を記録媒体Ｐ上に重ねて転写する転写バイアスローラ（１次転写バイアスローラ）、１５は各感光体ドラム１１Ｙ、１１Ｍ、１１Ｃ、１１ＢＫ上の未転写トナーを回収するクリーニング部、を示す。
【００２３】
また、１６は中間転写ベルト１７を清掃する中間転写ベルトクリーニング部、１７は複数色のトナー像が重ねて転写される中間転写ベルト、１８は中間転写ベルト１７上のカラートナー像を記録媒体Ｐ上に転写するための２次転写バイアスローラ、２０は記録媒体Ｐ上の未定着画像を定着する定着装置、を示す。
なお、図示は省略するが、各感光体ドラム１１Ｙ、１１Ｃ、１１Ｍ、１１ＢＫの上方には、キャリア（磁性キャリア）と各色（イエロー、シアン、マゼンタ、ブラック）のトナー（トナー粒子）とを現像装置１３に供給する供給手段としての各色の剤カートリッジがそれぞれ設置されている。
【００２４】
以下、画像形成装置における、通常のカラー画像形成時の動作について説明する。なお、感光体ドラム１１Ｙ、１１Ｍ、１１Ｃ、１１ＢＫ上でおこなわれる作像プロセスについては、図２をも参照することができる。
まず、原稿Ｄは、原稿搬送部３の搬送ローラによって、原稿台から図中の矢印方向に搬送されて、原稿読込部４のコンタクトガラス５上に載置される。そして、原稿読込部４で、コンタクトガラス５上に載置された原稿Ｄの画像情報が光学的に読み取られる。
【００２５】
詳しくは、原稿読込部４は、コンタクトガラス５上の原稿Ｄの画像に対して、照明ランプから発した光を照射しながら走査させる。そして、原稿Ｄにて反射した光を、ミラー群及びレンズを介して、カラーセンサに結像する。原稿Ｄのカラー画像情報は、カラーセンサにてＲＧＢ（レッド、グリーン、ブルー）の色分解光ごとに読み取られた後に、電気的な画像信号に変換される。さらに、ＲＧＢの色分解画像信号をもとにして画像処理部で色変換処理、色補正処理、空間周波数補正処理等の処理をおこない、イエロー、マゼンタ、シアン、ブラックのカラー画像情報を得る。
【００２６】
そして、イエロー、マゼンタ、シアン、ブラックの各色の画像情報は、書込み部２に送信される。そして、書込み部２からは、各色の画像情報に基づいたレーザ光Ｌ（図２を参照できる。）が、それぞれ、対応する感光体ドラム１１Ｙ、１１Ｍ、１１Ｃ、１１ＢＫ上に向けて発せられる。
【００２７】
一方、４つの感光体ドラム１１Ｙ、１１Ｍ、１１Ｃ、１１ＢＫは、それぞれ、図１の時計方向に回転している。そして、まず、感光体ドラム１１Ｙ、１１Ｍ、１１Ｃ、１１ＢＫの表面は、帯電部１２との対向部で、一様に帯電される（帯電工程である。）。こうして、感光体ドラム１１Ｙ、１１Ｍ、１１Ｃ、１１ＢＫ上には、帯電電位が形成される。その後、帯電された感光体ドラム１１Ｙ、１１Ｍ、１１Ｃ、１１ＢＫ表面は、それぞれのレーザ光の照射位置に達する。
書込み部２において、４つの光源から画像信号に対応したレーザ光が各色に対応してそれぞれ射出される。各レーザ光は、イエロー、マゼンタ、シアン、ブラックの色成分ごとに別の光路を通過することになる（露光工程である。）。
【００２８】
イエロー成分に対応したレーザ光は、紙面左側から１番目の感光体ドラム１１Ｙ表面に照射される。このとき、イエロー成分のレーザ光は、高速回転するポリゴンミラーにより、感光体ドラム１１Ｙの回転軸方向（主走査方向）に走査される。こうして、帯電部１２にて帯電された後の感光体ドラム１１Ｙ上には、イエロー成分に対応した静電潜像が形成される。
【００２９】
同様に、マゼンタ成分に対応したレーザ光は、紙面左から２番目の感光体ドラム１１Ｍ表面に照射されて、マゼンタ成分に対応した静電潜像が形成される。シアン成分のレーザ光は、紙面左から３番目の感光体ドラム１１Ｃ表面に照射されて、シアン成分の静電潜像が形成される。ブラック成分のレーザ光は、紙面左から４番目の感光体ドラム１１ＢＫ表面に照射されて、ブラック成分の静電潜像が形成される。
【００３０】
その後、各色の静電潜像が形成された感光体ドラム１１Ｙ、１１Ｍ、１１Ｃ、１１ＢＫ表面は、それぞれ、現像装置１３との対向位置に達する。そして、各現像装置１３から感光体ドラム１１Ｙ、１１Ｍ、１１Ｃ、１１ＢＫ上に各色のトナーが供給されて、感光体ドラム１１Ｙ、１１Ｍ、１１Ｃ、１１ＢＫ上の潜像が現像される（現像工程である。）。
その後、現像工程後の感光体ドラム１１Ｙ、１１Ｍ、１１Ｃ、１１ＢＫ表面は、それぞれ、中間転写ベルト１７との対向部に達する。ここで、それぞれの対向部には、中間転写ベルト１７の内周面に当接するように転写バイアスローラ１４が設置されている。そして、転写バイアスローラ１４の位置で、中間転写ベルト１７上に、感光体ドラム１１Ｙ、１１Ｍ、１１Ｃ、１１ＢＫ上に形成された各色のトナー像が、順次重ねて転写される（１次転写工程である。）。
【００３１】
そして、転写工程後の感光体ドラム１１Ｙ、１１Ｍ、１１Ｃ、１１ＢＫ表面は、それぞれ、クリーニング部１５との対向位置に達する。そして、クリーニング部１５で、感光体ドラム１１Ｙ、１１Ｍ、１１Ｃ、１１ＢＫ上に残存する未転写トナーが回収される（クリーニング工程である。）。
その後、感光体ドラム１１Ｙ、１１Ｍ、１１Ｃ、１１ＢＫ表面は、不図示の除電部を通過して、感光体ドラム１１Ｙ、１１Ｍ、１１Ｃ、１１ＢＫにおける一連の作像プロセスが終了する。
【００３２】
他方、感光体ドラム１１Ｙ、１１Ｍ、１１Ｃ、１１ＢＫ上の各色のトナーが重ねて転写（担持）された中間転写ベルト１７は、図中の時計方向に走行して、２次転写バイアスローラ１８との対向位置に達する。そして、２次転写バイアスローラ１８との対向位置で、記録媒体Ｐ上に中間転写ベルト１７上に担持されたカラーのトナー像が転写される（２次転写工程である。）。
その後、中間転写ベルト１７表面は、中間転写ベルトクリーニング部１６の位置に達する。そして、中間転写ベルト１７上に付着した未転写トナーが中間転写ベルトクリーニング部１６に回収されて、中間転写ベルト１７における一連の転写プロセスが終了する。
【００３３】
ここで、中間転写ベルト１７と２次転写バイアスローラ１８との間（２次転写ニップである。）に搬送される記録媒体Ｐは、給紙部７からレジストローラ９等を経由して搬送されたものである。
詳しくは、記録媒体Ｐを収納する給紙部７から、給紙ローラ８により給送された記録媒体Ｐが、搬送ガイドを通過した後に、レジストローラ９に導かれる。レジストローラ９に達した記録媒体Ｐは、タイミングを合わせて、２次転写ニップに向けて搬送される。
【００３４】
そして、フルカラー画像が転写された記録媒体Ｐは、搬送ベルトによって定着装置２０に導かれる。定着装置２０では、定着ベルトと加圧ローラとのニップにて、カラー画像（トナー）が記録媒体Ｐ上に定着される。
そして、定着工程後の記録媒体Ｐは、排紙ローラによって、装置本体１外に出力画像として排出されて、一連の画像形成プロセスが完了する。
【００３５】
次に、図２〜図８にて、画像形成装置における作像部について詳述する。
図２は、作像部及び剤カートリッジ２８を示す構成図である。図３は、現像装置を示す斜視図である。図４（Ａ）は現像装置１３の上部（第１搬送スクリュ１３ｂ１及び排出用搬送スクリュ１３ｋの位置である。）を長手方向にみた概略断面図であって、図４（Ｂ）は現像装置１３の下部（第２搬送スクリュ１３ｂ２及び第３搬送スクリュ１３ｂ３の位置である。）を長手方向にみた概略断面図である。図５は現像装置１３の第３中継部１３ｈの近傍を示す断面図であり、図６は現像装置１３の排出口１３ｄの近傍を示す断面図であり、図７は現像装置１３の補給口１３ｅの近傍を示す断面図であり、図８は排出用搬送経路の開口１３ｒの近傍を示す断面図である。
なお、各作像部はほぼ同一構造であって、各剤カートリッジもほぼ同一構造であるために、図２〜図８にて作像部及び剤カートリッジは符号のアルファベット（Ｙ、Ｃ、Ｍ、ＢＫ）を除して図示する。
【００３６】
図２に示すように、作像部は、像担持体としての感光体ドラム１１、帯電部１２、現像装置１３（現像部）、クリーニング部１５、等で構成される。
像担持体としての感光体ドラム１１は、負帯電の有機感光体であって、第１駆動部４１（第１駆動モータ）によって反時計方向に回転駆動される。なお、第１駆動部４１は、不図示のギア列を介して現像ローラ１３ａの駆動ギアに連結され、感光体ドラム１１とともに現像ローラ１３ａをも回転駆動する。
【００３７】
帯電部１２は、芯金上に、ウレタン樹脂、導電性粒子としてのカーボンブラック、硫化剤、発泡剤等を処方した中抵抗の発泡ウレタン層をローラ状に形成した弾性を有する帯電ローラである。帯電部１２の中抵抗層の材質としては、ウレタン、エチレン−プロピレン−ジエンポリエチレン（ＥＰＤＭ）、ブタジエンアクリロニトリルゴム（ＮＢＲ）、シリコーンゴムや、イソプレンゴム等に抵抗調整のためにカーボンブラックや金属酸化物等の導電性物質を分散したゴム材や、またこれらを発泡させたものを用いることもできる。
クリーニング部１５は、感光体ドラム１１に摺接するクリーニングブラシ（又は、クリーニングブレード）が設置されていて、感光体ドラム１１上の未転写トナーを機械的に除去・回収する。
【００３８】
現像装置１３は、現像剤担持体としての現像ローラ１３ａが感光体ドラム１１に近接するように配置されていて、双方の対向部分には感光体ドラム１１と磁気ブラシとが接触する現像領域が形成される。現像装置１３内には、トナーＴとキャリアＣとからなる現像剤Ｇ（２成分現像剤）が収容されている。そして、現像装置１３は、感光体ドラム１１上に形成される静電潜像を現像する（トナー像を形成する。）。なお、現像装置１３の構成・動作については、後で詳しく説明する。
【００３９】
ここで、本実施の形態における現像装置１３は、プレミックス現像方式のものであって、現像装置１３内に適宜に新品のキャリアＣ（現像剤Ｇ）が剤カートリッジ２８から供給されるとともに、劣化した現像剤Ｇが現像装置１３の外部に設置された排出経路７０（図４を参照できる。）を介して剤貯留容器（不図示である。）に向けて排出される。
図２を参照して、剤カートリッジ２８は、その内部に現像装置１３内に供給するための現像剤Ｇ（トナーＴ及びキャリアＣ）を収容している。そして、剤カートリッジ２８は、現像装置１３に新品のトナーＴを供給するトナーカートリッジとして機能するとともに、現像装置１３に新品のキャリアＣを供給する供給手段として機能する。具体的に、現像装置１３に設置された磁気センサ（不図示である。）によって検知されるトナー濃度（現像剤Ｇ中のトナーの割合である。）の情報に基いて、シャッタ駆動部によってシャッタ機構８０の開閉動作をおこなって、供給手段としての剤カートリッジ２８から現像装置１３内に向けて現像剤Ｇを適宜に供給する。ここで、本実施の形態では、剤カートリッジ２８の現像剤Ｇにおける、トナーＴ中のキャリアＣの混合率が１０ｗｔ％程度に設定されている。
なお、現像剤Ｇの供給は、トナー濃度の情報に限定されず、感光体ベルトや中間転写ベルト等に形成されたトナー像の反射率等から検知される画像濃度の情報に基づいて実施されてもよい。また、これらの異なる情報を組み合わせて、現像剤Ｇの供給の実施を判断してもよい。
【００４０】
供給手段としての供給管２９は、剤カートリッジ２８から供給される現像剤Ｇ（トナーＴ及びキャリアＣ）を現像装置１３内に確実に導くためのものである。すなわち、剤カートリッジ２８から排出された現像剤Ｇは、供給管２９を介して、補給口１３ｅ（現像剤補給口）から現像装置１３内に供給される。
【００４１】
以下、画像形成装置における現像装置１３について詳述する。
図２〜図８を参照して、現像装置１３は、現像剤担持体としての現像ローラ１３ａ、搬送部材としての搬送スクリュ１３ｂ１〜１３ｂ３（オーガスクリュ）、現像剤規制部材としてのドクターブレード１３ｃ、排出用搬送部材としての排出用搬送スクリュ１３ｋ、等で構成されている。
現像ローラ１３ａは、外径が２５ｍｍであって、アルミニウム、真鍮、ステンレス、導電性樹脂等の非磁性体を円筒形に形成してなるスリーブが第１駆動部４１（第１駆動モータ）によって時計方向に回転されるように構成されている。図４を参照して、現像ローラ１３ａのスリーブ１３ａ２内には、スリーブの周面に現像剤Ｇの穂立ちを生じるように磁界を形成するマグネット１３ａ１が固設されている。マグネット１３ａ１から発せられる法線方向磁力線に沿うように、現像剤Ｇ中のキャリアＣがスリーブ１３ａ２上にチェーン状に穂立ちする。このチェーン状に穂立ちしたキャリアＣに帯電したトナーＴが付着されて、磁気ブラシが形成される。磁気ブラシは、スリーブ１３ａ２の回転によってスリーブ１３ａ２と同方向（時計方向）に移送される。
【００４２】
図２を参照して、ドクターブレード１３ｃは、現像領域の上流側に設置されていて、現像ローラ１３ａ上の現像剤Ｇを適量に規制する。
なお、本実施の形態では、ドクターブレード１３ｃの近傍に冷却部１３ｎが設置されている。冷却部１３ｎは、複数のフィンを内設した中空構造体であって、その内部に不図示のファンから空気が送入される。これにより、金属材料で形成されたドクターブレード１３ｃの温度上昇が低減されて（空冷されて）、ドクターブレード１３ｃや現像ローラ１３ａへのトナー固着が抑止される。
【００４３】
３つの搬送スクリュ１３ｂ１〜１３ｂ３は、現像装置１３内に収容された現像剤Ｇを長手方向（図２の紙面垂直方向である。）に循環しながら撹拌・混合する。
第１搬送部材としての第１搬送スクリュ１３ｂ１は、現像ローラ１３ａに対向する位置に配設されていて、現像剤Ｇを長手方向（回転軸方向）に水平に搬送する（図４（Ａ）の破線矢印に示す右方向の搬送である。）とともに、現像ローラ１３ａ上に現像剤Ｇを供給（図４（Ａ）の白矢印方向の供給である。）する。
【００４４】
第２搬送部材としての第２搬送スクリュ１３ｂ２は、第１搬送スクリュ１３ｂ１の下方であって現像ローラ１３ａに対向する位置に配設されている。そして、現像ローラ１３ａから離脱した現像剤Ｇ（現像工程後に剤離れ極によって現像ローラ１３ａ上から強制的に離脱された現像剤Ｇであって、図４（Ｂ）の白矢印方向に離脱するものある。）を長手方向に水平に搬送する（図４（Ｂ）の破線矢印に示す右方向の搬送である。）。
【００４５】
第３搬送部材としての第３搬送スクリュ１３ｂ３は、第２搬送スクリュ１３ｂ２に隣接する位置であって、第１搬送部材１３ｂ１の斜め下方に配設されている。そして、第３搬送スクリュ１３ｂ３は、第２搬送スクリュ１３ｂ２によって搬送された現像剤Ｇを第１搬送部材１３ｂ１による搬送経路の上流側に搬送するとともに、第１搬送スクリュ１３ｂ１による搬送経路の下流側から第１中継部１３ｆを介して循環される現像剤Ｇを第１搬送部材１３ｂ１による搬送経路の上流側に搬送する（図４（Ｂ）の破線矢印に示す左方向の搬送である。）。
３つの搬送スクリュ１３ｂ１〜１３ｂ３は、現像ローラ１３ａや感光体ドラム１１と同様に、回転軸がほぼ水平になるように配設されている。また、３つの搬送スクリュ１３ｂ１〜１３ｂ３は、軸部にスクリュ部が螺旋状に巻装されたものであって、スクリュ部の外径が２２ｍｍに設定されている。そして、３つの搬送スクリュ１３ｂ１〜１３ｂ３は、それぞれの駆動ギアが不図示のギア列を介して第２駆動部４２（第２駆動モータ）に連結されていて、第２駆動部４２によってそれぞれ所定方向に回転駆動される。
【００４６】
なお、第１搬送スクリュ１３ｂ１による搬送経路と、第２搬送スクリュ１３ｂ２による搬送経路と、第３搬送スクリュ１３ｂ３による搬送経路と、排出用搬送スクリュ１３ｋ（排出用搬送部材）による排出用搬送経路と、は隔壁（壁部）によって隔絶されている。
図４（Ｂ）を参照して、第２搬送スクリュ１３ｂ２による搬送経路の下流側と、第３搬送スクリュ１３ｂ３による搬送経路の上流側と、は第２中継部１３ｇを介して連通している。また、図４（Ａ）及び図４（Ｂ）を参照して、第１搬送スクリュ１３ｂ１による搬送経路の下流側と、第３搬送スクリュ１３ｂ３による搬送経路の上流側と、は第１中継部１３ｆを介して連通している。また、図４（Ａ）、図４（Ｂ）、図５を参照して、第３搬送スクリュ１３ｂ３による搬送経路の下流側と、第１搬送スクリュ１３ｂ１による搬送経路の上流側と、は第３中継部１３ｈを介して連通している。図５を参照して、第３搬送スクリュ１３ｂ３による搬送経路において第３中継部１３ｈの近傍に滞留して盛り上がった現像剤Ｇが、第３中継部１３ｈを介して第１搬送スクリュ１３ｂ１による搬送経路の上流側に搬送（供給）されることになる。
【００４７】
このような構成により、３つの搬送スクリュ１３ｂ１〜１３ｂ３によって、現像装置１３において現像剤Ｇを長手方向に循環させる循環経路が形成されることになる。すなわち、現像装置１３が稼動されると、装置内に収容された現像剤Ｇは図４中の破線矢印の方向に流動する。そして、このように、現像ローラ１３ａに対する現像剤Ｇの供給経路（第１搬送スクリュ１３ａ１による搬送経路である。）と、現像ローラ１３ａから離脱する現像剤Ｇの回収経路（第２搬送スクリュ１３ａ２による搬送経路である。）と、を分離することで、感光体ドラム１１上に形成するトナー像の濃度偏差を小さくすることができる。
【００４８】
なお、図示は省略するが、第３搬送スクリュ１３ｂ３による搬送経路中には、装置内を循環する現像剤のトナー濃度を検知する磁気センサが設置されている。そして、磁気センサによって検知されるトナー濃度の情報に基いて、供給手段としての剤カートリッジ２８から補給口１３ｅを介して現像装置１３内に向けて所定のトナー濃度の現像剤Ｇが供給される。
また、図３、図４（Ｂ）、図７を参照して、補給口１３ｅは、第３搬送スクリュ１３ｂ３による搬送経路の上流側の上方であって、現像領域から離れた位置（現像ローラ１３ａの長手方向の範囲の外側である。）に配設されている。
【００４９】
ここで、図２、図４（Ａ）、図６を参照して、第１搬送スクリュ１３ｂ１による搬送経路の隔壁には、現像装置１３内に収容された現像剤Ｇの一部を搬送経路外に排出するための排出口１３ｄが設けられている。
詳しくは、排出口１３ｄ（排出手段）は、供給手段２８、２９、８０によって現像装置１３内に現像剤Ｇが供給されて装置内の現像剤量が増加してその位置に搬送される現像剤の剤面（上面）が所定高さを超えたときに、その余剰分の現像剤Ｇを排出用搬送経路（排出用搬送スクリュ１３ｋが設置されている。）に向けて排出するためのものである。排出口１３ｄから排出された現像剤は、排出用搬送スクリュ１３ｋによって長手方向（図４（Ａ）の左方向である。）に搬送されて開口１３ｒ（図８をも参照できる。）から自重落下して装置外（排出経路７０）に排出された後、排出経路７０を介して剤貯留容器（不図示である。）に回収される。すなわち、余剰分の現像剤Ｇは、排出口１３ｄの下部の高さを超えて、排出口１３ｄから排出されて排出用搬送経路（排出用搬送スクリュ１３ｋ）、排出経路７０を経由して剤貯留容器に向けて搬送される。このように、トナーＴの母体樹脂や外添剤によって汚染されて劣化したキャリアが自動的に現像装置の外部に排出されるので、経時においても画像品質の劣化を抑止することができる。なお、排出経路７０は各色（４つ）の現像装置１３の排出用搬送経路のすべてに接続されていて、剤貯留容器には各現像装置１３から排出された現像剤がまとめて回収される。
【００５０】
なお、本実施の形態における第１搬送スクリュ１３ｂ１による搬送経路は、排出口１３ｄの近傍であって第１搬送スクリュ１３ｂ１の上方に、第１搬送スクリュ１３ｂ１に近接する天井部１３ｍが設置されている。詳しくは、図２、図４（Ａ）、図６を参照して、天井部１３ｍは、排出口１３ｄの近傍において第１搬送スクリュ１３ｂ１（スクリュ部）の上方の空隙を狭めるように、その対向面が第１搬送スクリュ１３ｂ１のスクリュ部の外径形状にならって円弧状に形成されている。これにより、排出口１３ｄの近傍では、天井部１３ｍにより狭められた空隙によって、現像剤の剤面（上面）が高くなる。これにより、第１搬送スクリュ１３ｂ１の回転中心よりも高い位置にある排出口１３ｄから、余剰の現像剤が排出されることになる。なお、天井部１３ｍと第１搬送スクリュ１３ｂ１との空隙量や長手方向の範囲は、排出口１３ｄから排出される現像剤量が最適になるように、実験の結果に基いて定めることができる。
【００５１】
また、本実施の形態における排出用搬送スクリュ１３ｋは、長手方向に延設された軸部（外径：２ｍｍである。）と、軸部に螺旋状に巻装されたスクリュ部（外径：８ｍｍである。）と、からなる。また、排出用搬送スクリュ１３ｋは、３つの搬送スクリュ１３ｂ１〜１３ｂ３と同様に、回転軸がほぼ水平になるように配設されている。そして、本実施の形態においては、排出用搬送スクリュ１３ｋも、３つの搬送スクリュ１３ｂ１〜１３ｂ３とともに、第２駆動部４２によって回転駆動される。
【００５２】
ここで、図２を参照して、本実施の形態では、現像ローラ１３ａ（現像剤担持体）を回転駆動する第１駆動部４１（第１駆動モータ）とは別に、複数の搬送スクリュ１３ｂ１〜１３ｂ３（搬送部材）を回転駆動する第２駆動部４２（第２駆動モータ）が設けられている。
また、本実施の形態における画像形成装置１は、自動又は手動でプロセス線速（記録媒体Ｐの搬送速度と同速度である。）を可変できるように構成されている。具体的に、通常時は「中速モード」に設定されていて、プロセス線速（感光体ドラム１１の回転数や中間転写ベルト１７の走行速度）や記録媒体Ｐの搬送速度が中速度に設定される。「低速モード」は、記録媒体Ｐとして厚紙やＯＨＰ用紙が通紙させる場合等に、自動又は手動で選択されるものであって、プロセス線速や記録媒体Ｐの搬送速度が低速度に設定される。「高速モード」は、記録媒体Ｐとして薄紙が通紙させる場合や、出力画像の生産性をアップさせたい場合等に、自動又は手動で選択されるものであって、プロセス線速や記録媒体Ｐの搬送速度が高速度に設定される。このようなモードの切り替えは、ユーザーの好みに合わせてユーザーが操作パネルの操作によって任意に手動で選択できるように構成することもできるし、紙厚センサ等の検知結果によって自動で選択されるように構成することもできる。
【００５３】
ここで、第１駆動部４１は、感光体ドラム１１の回転数（又は、プロセス線速）の増減に同期して現像ローラ１３ａの回転数を増減するように構成されている。本実施の形態において、第１駆動部４１は、感光体ドラム１１とともに現像ローラ１３ａを回転駆動するものであるために、必然的に上述した構成になる。
具体的に、図９に示すように、高速モード時には感光体ドラム１１と現像ローラ１３ａとの回転数はそれぞれＡ１、Ｂ１に設定され、中速モード時には感光体ドラム１１と現像ローラ１３ａとの回転数はそれぞれＡ２、Ｂ２に設定され、低速モード時には感光体ドラム１１と現像ローラ１３ａとの回転数はそれぞれＡ３、Ｂ３に設定される（Ａ１＞Ａ２＞Ａ３、Ｂ１＞Ｂ２＞Ｂ３）。
これに対して、第２駆動部４２は、感光体ドラム１１の回転数（又は、プロセス線速）の増減に関らず複数の搬送スクリュ１３ｂ１〜１３ｂ３の回転数を一定に維持するように構成されている。第２駆動部４２は、第１駆動部４１とは異なる独立した駆動源であるため、プロセス線速の可変に関らず、搬送スクリュ１３ｂ１〜１３ｂ３の回転数を独立して制御することができる。
具体的に、図９に示すように、高速モード時、中速モード時、低速モード時のいずれのときも、搬送スクリュ１３ｂ１〜１３ｂ３の回転数は定速度Ｃに設定されている。
【００５４】
これにより、プロセス線速が可変された場合（高速モード時、中速モード時、低速モード時のいずれが選択された場合）であっても、排出口１３ｄから現像装置１３の外部に排出される現像剤量（又は、現像装置１３の内部に収容された現像剤量）にバラツキが生じる不具合を確実に軽減することができる。
【００５５】
図１０は、現像装置１３に収容された現像剤Ｇの、トナー濃度と嵩密度との関係を示すグラフである。
本実施の形態では、上述した磁気センサを用いて、現像装置１３内に収容された現像剤Ｇのトナー濃度が５〜９ｗｔ％になるように制御されている。このときの現像装置１３内に収容された現像剤Ｇの嵩密度は１．７５〜１．５５ｇ／ｍｌとなる。このように、現像装置１３内の現像剤Ｇは、トナー濃度によって、その嵩密度にある程度のバラツキが生じる。
【００５６】
図１１は、本実施の形態における現像装置１３を所定時間稼働したときの、搬送スクリュ１３ｂ１〜１３ｂ３の回転数と、現像装置１３に収容された現像剤Ｇの容量と、の関係を示すグラフである。
図１１から、搬送スクリュ１３ｂ１〜１３ｂ３の回転数が高くなると、排出口１３ｄの近傍に滞留する現像剤量が多くなって（現像剤Ｇの剤面が高くなって）、排出口１３ｄから排出される現像剤量が多くなるため、現像装置１３に収容された現像剤Ｇの容量（現像剤量）が少なくなるのがわかる。これに対して、搬送スクリュ１３ｂ１〜１３ｂ３の回転数が低くなると、排出口１３ｄの近傍に滞留する現像剤量が少なくなって（現像剤Ｇの剤面が低くなって）、排出口１３ｄから排出される現像剤量が少なくなるため、現像装置１３に収容された現像剤Ｇの容量（現像剤量）が多くなるのがわかる。
【００５７】
したがって、従来の現像装置のように、プロセス線速の増減にともない搬送スクリュ１３ｂ１〜１３ｂ３の回転数が増減されてしまうと、排出口１３ｄから排出される現像剤量（又は、現像装置１３に収容された現像剤量）にバラツキが生じてしまうことになる。そして、現像装置１３に収容された現像剤量が過少のときには画像濃度低下や画像濃度ムラ等の不具合が発生し、現像装置１３に収容された現像剤量が過多のときには現像剤漏れや現像剤搬送不良等の不具合が発生してしまう。
これに対して、本実施の形態では、高速モード時、中速モード時、低速モード時のいずれのときも、搬送スクリュ１３ｂ１〜１３ｂ３の回転数は定速度Ｃに設定されるため、排出口１３ｄから現像装置１３の外部に排出される現像剤量（又は、現像装置１３の内部に収容された現像剤量）にバラツキが生じる不具合を確実に軽減することができる。
【００５８】
また、本実施の形態では、高速モード時、中速モード時、低速モード時のいずれのときも、現像ローラ１３ａの回転数はプロセス線速に合わせて増減されるため、プロセス線速に関らず感光体ドラム１１に対する現像ローラ１３ａの線速比を一定に保つことができる。したがって、プロセス線速に関らず現像領域における現像能力が一定に維持されて、高速モード時、中速モード時、低速モード時のいずれのときも、同等の現像能力を発揮することができる。
【００５９】
なお、本実施の形態では、現像ローラ１３ａを回転駆動する第１駆動部４１とは別に設けられた第２駆動部４２によって、プロセス線速の可変に関らず搬送スクリュ１３ｂ１〜１３ｂ３の回転速度が一定化するように構成した。
これに対して、現像ローラ１３ａを回転駆動する第１駆動部４１とは別に設けられた第２駆動部４２によって、プロセス線速の可変に応じて搬送スクリュ１３ｂ１〜１３ｂ３の駆動時間を可変するように構成することもできる。
【００６０】
詳しくは、図１２に示すように、第１駆動部４１は、感光体ドラム１１の駆動開始・駆動停止に同期して現像ローラ１３ａの駆動開始・駆動停止をおこなうように構成されている。第１駆動部４１は、感光体ドラム１１とともに現像ローラ１３ａを回転駆動するものであるために、必然的に上述した構成になる。
具体的に、いずれのモードのときも、感光体ドラム１１と現像ローラ１３ａとは、同じタイミングで同じ駆動時間だけ、第１駆動部４１によって回転駆動されることになる。
【００６１】
これに対して、第２駆動部４２は、感光体ドラム１１の回転数（又は、プロセス線速）が高く設定された場合に現像ローラ１３ａの駆動時間に比べて複数の搬送スクリュ１３ｂ１〜１３ｂ３の駆動時間を短くして、感光体ドラム１１の回転数（又は、プロセス線速）が低く設定された場合に現像ローラ１３ａの駆動時間に比べて複数の搬送スクリュ１３ｂ１〜１３ｂ３の駆動時間を長くするように構成されている。
具体的に、中速モード時には、複数の搬送スクリュ１３ｂ１〜１３ｂ３は、現像ローラ１３ａ（及び、感光体ドラム１１）と同じ駆動時間だけ、第２駆動部４２によって回転駆動される。
そして、高速モード時には、複数の搬送スクリュ１３ｂ１〜１３ｂ３は、現像ローラ１３ａ（及び、感光体ドラム１１）の駆動時間に対して、Δｔ１時間だけ短く第２駆動部４２によって回転駆動される。これにより、高速モード時に複数の搬送スクリュ１３ｂ１〜１３ｂ３の回転数が高くなってしまったとしても、Δｔ１時間だけ駆動時間が短くなった分だけ、排出口１３ｄから現像装置１３の外部に排出される現像剤量を少なくすることができる。
さらに、低速モード時には、複数の搬送スクリュ１３ｂ１〜１３ｂ３は、現像ローラ１３ａ（及び、感光体ドラム１１）の駆動時間に対して、Δｔ２時間だけ長く第２駆動部４２によって回転駆動される。これにより、低速モード時に複数の搬送スクリュ１３ｂ１〜１３ｂ３の回転数が低くなってしまったとしても、Δｔ２時間だけ駆動時間が長くなった分だけ、排出口１３ｄから現像装置１３の外部に排出される現像剤量を多くすることができる。
【００６２】
これにより、プロセス線速が可変された場合（高速モード時、中速モード時、低速モード時のいずれが選択された場合）であっても、排出口１３ｄから現像装置１３の外部に排出される現像剤量（又は、現像装置１３の内部に収容された現像剤量）にバラツキが生じる不具合を確実に軽減することができる。
【００６３】
なお、上述した第２駆動部４２による複数の搬送スクリュ１３ｂ１〜１３ｂ３の駆動時間の調整は、現像工程への影響を考慮して、非現像工程時におこなわれることが好ましい。具体的に、図１２に示すように、高速モード時においても低速モード時においても、搬送スクリュ１３ｂ１〜１３ｂ３の駆動開始は、現像ローラ１３ａの駆動開始と同期させて、駆動停止のタイミング調整によって全体の駆動時間を増減することで、現像工程前に搬送スクリュ１３ｂ１〜１３ｂ３の駆動時間が不足して現像剤Ｇの撹拌不足によるトナー帯電不良が生じる不具合を未然に抑止することができる。
また、図１２に示す実施例において、プロセス線速の増減に関らず搬送スクリュ１３ｂ１〜１３ｂ３の回転数を定速化する制御（図９で説明した制御である。）を併用することもできる。
【００６４】
以上説明したように、本実施の形態では、現像ローラ１３ａ（現像剤担持体）を駆動する第１駆動部４１とは別に、複数の搬送スクリュ１３ｂ１〜１３ｂ３（搬送部材）を駆動する第２駆動部４２を設けているため、プロセス線速が可変された場合であっても、排出口１３ｄから現像装置１３の外部に排出される現像剤量にバラツキが生じる不具合を確実に軽減することができる。
【００６５】
なお、本実施の形態では、排出口１３ｄを第１搬送スクリュ１３ａ１による搬送経路中に配設して、補給口１３ｅを第３搬送スクリュ１３ａ３による搬送経路中に配設したが、排出口１３ｄや補給口１３ｅの位置はこれに限定されるものではない。
また、本実施の形態では、第３搬送スクリュ１３ｂ３を水平に配設したが、第３搬送スクリュ１３ｂ３を水平方向に対して斜めに配設することもできる。また、３つの搬送スクリュ１３ｂ１〜１３ｂ３の上下方向・水平方向の位置は、本実施の形態のものに限定されない。
【００６６】
また、本実施の形態では、供給手段としての剤カートリッジ２８から現像装置１３に向けて現像剤Ｇ（トナーＴ及びキャリアＣ）を供給したが、供給手段からキャリアＣのみを現像装置１３に向けて供給することもできる。その場合、トナーのみが収容されたトナーカートリッジを剤カートリッジ（キャリアカートリッジ）とは別に設置して、現像装置１３に設置された磁気センサの検知結果に基いてトナーカートリッジに収容されたトナーを現像装置１３に向けて適宜に補給することになる。このような場合であっても、本実施の形態と同様の効果を得ることができる。
【００６７】
また、本実施の形態においては、現像装置１３が単体で画像形成装置本体に着脱されるユニットして構成されている画像形成装置に対して、本発明を適用した。しかし、本発明の適用はこれに限定されることなく、作像部がプロセスカートリッジ化されている画像形成装置に対しても、当然に本発明を適用することができる。
【００６８】
また、本実施の形態では、搬送部材としての搬送スクリュが３つ設置された現像装置１３に対して本発明を適用したが、搬送スクリュが２つ又は４つ以上設置された現像装置に対しても本発明を適用することができる。その場合も、現像ローラ１３ａを駆動する第１駆動部とは別に、複数の搬送スクリュ（搬送部材）を駆動する第２駆動部を設けて、それらの駆動部をプロセス線速の変動に応じて最適に制御することで、本実施の形態と同様の効果を得ることができる。
【００６９】
なお、本発明が本実施の形態に限定されず、本発明の技術思想の範囲内において、本実施の形態の中で示唆した以外にも、本実施の形態は適宜変更され得ることは明らかである。また、前記構成部材の数、位置、形状等は本実施の形態に限定されず、本発明を実施する上で好適な数、位置、形状等にすることができる。
【符号の説明】
【００７０】
１  画像形成装置本体（装置本体）、
１１、１１Ｙ、１１Ｃ、１１Ｍ、１１ＢＫ  感光体ドラム（像担持体）、
１３  現像装置（現像部）、
１３ａ  現像ローラ（現像剤担持体）、
１３ｂ１  第１搬送スクリュ（第１搬送部材）、
１３ｂ２  第２搬送スクリュ（第２搬送部材）、
１３ｂ３  第３搬送スクリュ（第３搬送部材）、
１３ｃ  ドクターブレード（現像剤規制部材）、
１３ｄ  排出口、
１３ｅ  補給口、
１３ｆ  第１中継部、  １３ｇ  第２中継部、  １３ｈ  第３中継部、
１３ｋ  排出用搬送スクリュ（排出用搬送部材）、
１３ｍ  天井部、  １３ｎ  冷却部、
１３ｒ  開口、
２８  剤カートリッジ（供給手段）、  ２９  供給管（供給手段）、
４１  第１駆動部、
４２  第２駆動部、
７０  排出経路、  Ｐ  記録媒体、
Ｇ  現像剤（２成分現像剤）、  Ｔ  トナー、  Ｃ  キャリア。
【先行技術文献】
【特許文献】
【００７１】
【特許文献１】特開２００７−２７２２０１号公報
【特許文献２】特開２００２−１６６５９３号公報
【図１】
0005483088.tif 000002
【図２】
0005483088.tif 000003
【図３】
0005483088.tif 000004
【図４】
0005483088.tif 000005
【図５】
0005483088.tif 000006
【図６】
0005483088.tif 000007
【図７】
0005483088.tif 000008
【図８】
0005483088.tif 000009
【図９】
0005483088.tif 000010
【図１０】
0005483088.tif 000011
【図１１】
0005483088.tif 000012
【図１２】
0005483088.tif 000013